Podtech/llm-jp-corpus-v4-ja_patent huggingface dataset:
(57)【要約】【課題】本考案は宝飾台本体に照明効果、イルミネーション効果を持たせ、展示物と一体となった照明装置を提供するものである。【解決手段】光が透過する模様の入った台１と、その台１の裏側から色変化するＬＥＤ２とを有した装飾体照明器具であることを特徴とする。また前記ＬＥＤ２は、振動センサーでＯＮ／ＯＦＦすることを特徴とする。さらに前記台１は、ガラスもしくはプラスチックによって構成され、上面のみではなく側面も光透過性であることが好ましい。【選択図】  図１
0003138741.tif 000002
【実用新案登録請求の範囲】
【請求項１】
光が透過する模様の入った台と、その台の裏側に配置された自動的に色変化するＬＥＤと、を有した宝飾台。
【請求項２】
前記ＬＥＤは、振動センサーでＯＮ／ＯＦＦすることを特徴とする、前記請求項1記載の宝飾台。
【請求項３】
前記台は、ガラスによって構成されていることを特徴とする前記請求項1記載の宝飾台。
【請求項４】
前記台は、プラスチックによって構成されていることを特徴とする前記請求項1記載の宝飾台。
【請求項５】
前記台は、上面のみではなく側面も光透過性であることを特徴とする前記請求項1記載の宝飾台。
【考案の詳細な説明】
【技術分野】
【０００１】
本考案は、本体に内蔵する色変化するＬＥＤ照明の光が透過し、上に載せた物を目立たせる宝飾台に関するものである。
【背景技術】
【０００２】
陳列宝飾商品や室内装飾品に対する照明装置として、装飾品に照明効果を付与した各種の装飾装置が使用されている。例えば、特開２００６−２４４８８１号公報（特許文献１）には、上下に照明するＬＥＤを配置し、載置される宝飾品に美術的効果をもたらす装飾体照明装置が提案されている。
【０００３】
【特許文献１】特開２００６−２４４８８１号公報
【考案の開示】
【考案が解決しようとする課題】
【０００４】
しかし、前記特許文献１においては、上下方向に対するＬＥＤ照明を点滅制御することを特徴としている為、宝石や貴金属などの色合いによっては目立たせることが出来ず、美術的効果及び照明器具としての効果は限定的であった。
【課題を解決するための手段】
【０００５】
請求項１に記載の宝飾台は、光が透過する模様の入った台の裏から色変化するＬＥＤで照明することを特徴とする。
また請求項２に記載のＬＥＤは振動センサーでＯＮ／ＯＦＦすることを特徴とする。
【０００６】
請求項３〜５に記載の台は、ガラスもしくはプラスチックによって構成され、上面のみではなく側面も光透過性であることを特徴とする。
【考案の効果】
【０００７】
本考案の宝飾台は模様の入った台の裏側から照明する事で、光が拡散し、展示物を立体的に表現することができる。また周期的に色変化することで美術的な演出効果をもたらすことができる。
【考案を実施するための最良の形態】
【０００８】
以下、図面を参照しながら本考案の宝飾台についてその一実施形態を詳しく説明する。
【実施例】
【０００９】
図１は、本考案の実施の形態の概略縦断面図、図２は本考案実施例の透視図、図３は本考案実施例の回路図である。
図１〜３において、台１は、光透過性のガラスもしくはプラスチックで成型され、床部材４と接合される。この台１は、例えば御椀型、鉢形などをしており、内側表面、又は内部、又は表面に渦巻き、波模様、雲模様、ひし形集合体、もしくはこれらの組み合わせの模様が付してある。これらの模様は、ガラスの場合には丸みのあるように、プラスチックの場合には多少エッジが強調されるようになど、台１の素材の特徴に合わせて、ＬＥＤの光が広がりを持つように構成されるのが好ましい。
次に、宝飾台の内部構造ついて説明する。
宝飾台の内部には、複数のＬＥＤチップとその駆動素子が内蔵された、ＬＥＤ２が基板３の上に配置されている。基板３は床部材４に固定されている。台１と、ＬＥＤ２のついた基板３の間は中空である。駆動素子はＬＥＤ２とは別に基板３に設けられていてもよい。また基板３には振動センサからなるスイッチが設けられ、ＬＥＤ２のＯＮ／ＯＦＦを行うように構成されている。
【００１０】
台１の表面には、模様を入れることでさまざまな色のＬＥＤ２の光の拡散が生じ美しく色変化する。従って、例えば図３に示すように、３原色のＬＥＤをパッケージの中に入れ、調光ＣＰＵで制御することによって、時間をかけて７色の光を順次発光するようにする。このような光源制御を行うことで、ＬＥＤ２が一定の時間で７色に順次色変化するのであれば、台１がその光を透過し、模様が浮き立ち、その台１の上に置かれた宝石とか貴金属がその色変化で浮き立つように照明される。この場合、台１は上面だけではなく、側面も光透過性であるほうが演色効果が高い。
【図面の簡単な説明】
【００１１】
【図１】本考案実施例の断面図である。
【図２】本考案実施例の透視図である。
【図３】本考案実施例の回路図である。
【符号の説明】
【００１２】
１  台
２  ＬＥＤ
３  基板
４  床部材
【図１】
0003138741.tif 000003
【図２】
0003138741.tif 000004
【図３】
0003138741.tif 000005
(57)【要約】【課題】  寺院で用いられている大型で金属製の花立ての水替え及び内壁の清掃作業を軽減し、かつ補給水の注水を容易にする中筒を提供する。【解決手段】  中筒の断面形状を花立ての内部断面形状に相似させ、中筒の首部断面を絞り加工して供える花や樒の直立を確保し、最上部縁部を遠心拡大して補給水の注水を容易にする構造。【選択図】  図３
0003138743.tif 000002
【実用新案登録請求の範囲】
【請求項１】
社寺で用いる壺型花瓶において、壺の内側に挿入する中筒の断面形状を壺の内面断面形状に相似させた形状断面とし、上部開口首部の径を幾分小さくし、上縁部断面を外方に遠心拡大させたことを特徴とする壺型花立ての中筒
【請求項２】
上部開口首部近傍の内側に花止めを固着したことを特徴とする請求項１に記載の壺型花立ての中筒
【考案の詳細な説明】
【技術分野】
【０００１】
寺院等で用いる壺型花立ての水替え・内部清掃を容易にする中筒の形状・構造に関する。
【背景技術】
【０００２】
寺院の本堂などの設置される花立ては、一般家庭で用いる花瓶に比べて相当の大型でしかも壺型の形状品が数多く用いられている。宗派にもよりその形状は異なるが花や樒などの常緑樹が常に供えられており、寺院の在籍者がこまめに差し替えのほか、水の入れ替え等のメンテナンスを怠らないが、大型の花立てはその殆どが黄銅製であり、相当の重量物となっている。
【０００３】
また、大型の花立てはそれ相応に上部の開口部面積が大きく、相当量の花や樒などを生け込まなければ直立の固定が難しく、時には割り箸を開口部に渡したり、花止めという器具を用いる必要がある。また、水替えともなると重量物を水替え場所まで移動させなければならないし、壺型花立ての内部の掃除は相当の手間を要するなど寺院の在籍者の高齢化と共に解決策の要望が高い。
【０００４】
墓前に設ける花立ての下部の径を小さくして、外風による安定を保つため供える造花が少なくても上部の直立を容易に改善する構造が提案（特開２００４−６５２７５号公開公報）されている。
また、供える花や樒の直立を容易にするため壺型花立ての内径に嵌合できる外径の円筒を上部より挿入固定し、その中筒の周囲に水を連通する小孔を設ける構造の提案（実用新案登録第３０７０６８４号公開公報）がなされているが、何れも供える花や樒の直立を補強するに留まっており、水替えの困難さの解決や花立て内部の汚損対策には注視されていない。
【考案の開示】
【考案が解決しようとする課題】
【０００５】
大型の壺型の花立てに供える花又は樒等の直立安定化には、花立て内部に挿入できる中筒を設けることで解決可能であるが、花立て内部の湛水量が激減するため前述のように中筒には連通孔を設けることになるが、これでは花立て内部の汚損防止には貢献できず、重量物の水替え作業の簡素化は望むべくもない。
そこで、本件考案者は、特に浄土真宗派で用いられている正又は略六角形の断面形状を有する大型花立てに有効な中筒を考案した。
【課題を解決するための手段】
【０００６】
請求項１に記載の考案は、壺型花立てが正又は略六角形の断面形状であることに着目し、中筒の全体形状を正又は略六角形とし、供える花や樒の挿入の安定度を図るため中筒の上部開口部の首部を絞り加工し、なおかつ最上部縁部を外方に遠心拡大して、補給・注水の作業を容易にした形状とした。
【０００７】
請求項２に記載の考案は、供える花や樒をより安定化させるため、請求項１の中筒の上部開口部近傍に花止めを固着した構造とした。
【考案の効果】
【０００８】
過去に試みられた円筒形の中筒では、花立て本体の内部容積よりも湛水量が激減し、水替えの頻度を増加させるデメリットを有しているが、本考案の構造とすることで円筒形の容積の５０％増の湛水量を確保できるうえ、上部の縁部が拡大されていることで、外部上方からの補給水の注水作業が容易となり、かつ花立て本体の湛水の花または樒の樹液等のほか経時変化による湛水の腐敗や花立て内壁の汚損防止ができ、清掃の頻度を最小限度に回避することが可能である。
【０００９】
なお、本考案の中筒は、既存の寺院の壺型花立てに簡単容易に設置できるため、費用対効果が絶大であるし、中筒のみの水替えや内部清掃作業で花立て内部を汚さずに済ませることができ、女性などの非力な者でもそれらに対応できる効果を発揮する。
【考案を実施するための最良の形態】
【００１０】
請求項１について図１〜図３を用いて説明する。
中筒の本体部１は中空の正又は略六角柱であり、壺型花立て４の内部に挿入可能な外形寸法とし、その上部の首部２は供える花又は樒の垂直安定性を確保するため絞り構造とし、中筒の最上部縁部３は壺型花立て４の上部内周寸法よりも少し小さめの外周寸法まで遠心拡大させた構造にしたことを特徴の中筒にしたことにある。
【００１１】
中筒の本体部１の断面を正又は略六角形することで、単なる円筒形中筒に比べ湛水容積を約５０％増とすることが可能であり、最上部縁部３を相当量拡大したことにより外部からの補給のための注水が容易となる。また、湛水の取り替えに際しても花又は樒を排出後、本件考案の中筒のみ取り出し排・注水や洗浄を簡便・容易に行うことができる。
【００１２】
本考案の中筒の素材は、ＦＲＰがその加工性、軽量化、耐久性、水密性において優れているが、本考案の中筒の素材は本記載例に限定されることはなく、また中筒本体の断面形状を正又は略六角形に限定することなく、本考案の目的の範囲で自由に設計変更しうるものであり本考案はそれらを全て包摂するものである。
【００１３】
請求項２について図４を用いて説明する。
中筒の上部の首部２の口径を小さくすることは、供える花又は樒の数量を制限することとなり、必ずしも本考案のその効果の恩恵を受けるとは限らない場合が存在する。
その場合、本考案の中筒の上部首部近傍に図示するような形状の花止め５を中筒の内面に固着することで、上部首部の口径を極端に絞ることなく多少大きくしても花又は樒を大量にかつ垂直に直立させ供えることが可能となる。
【００１４】
本考案の花止め５の素材は本考案の中筒と同種素材が好ましいが、用いる素材及びその形状及び構造を含めて本記載例に限定されることはなく、本考案の目的の範囲で自由に設計変更しうるものであり本考案はそれらを全て包摂するものである。
【図面の簡単な説明】
【００１５】
【図１】本考案の中筒の斜視図
【図２】本考案の中筒の上平面図
【図３】本考案の中筒を壺型花立てに挿入した断面図
【図４】本考案の中筒に花止めを固着した斜視図
【符号の説明】
【００１６】
１  本体部
２  首部
３  最上部縁部
４  壺型花立て
５  花止め
【図１】
0003138743.tif 000003
【図２】
0003138743.tif 000004
【図３】
0003138743.tif 000005
【図４】
0003138743.tif 000006
(57)【要約】      （修正有）【課題】名刺等のカード類が安価に郵送できると共に、使い勝手のよい郵送用カードホルダーを提供する。【解決手段】外形の厚み寸法が１センチメートル以内のケース本体を設け、ケース本体内に、カードを複数枚重ねて入れるカード収納部１ａを、複数箇所に分けて設けたことを特徴とする郵送用カードホルダーから構成され、ケース本体は、一枚のシート材Ｙで形成したものであり、また、カードとは、名刺、トランプ、花札から選ばれたものである郵送用カードホルダーである。【選択図】図１
0003138707.tif 000002
【実用新案登録請求の範囲】
【請求項１】
外形の厚み寸法（α）が１センチメートル以内のケース本体（１）を設け、該ケース本体（１）内に、カード（Ｘ）を複数枚重ねて入れるカード収納部（１ａ）を、複数箇所に分けて設けたことを特徴とする郵送用カードホルダー。
【請求項２】
ケース本体（１）が、一枚のシート材（Ｙ）で形成したものであることを特徴とする請求項１記載の郵送用カードホルダー。
【請求項３】
カード（Ｘ）が、名刺、トランプ、花札から選ばれたものであることを特徴とする請求項１記載の郵送用カードホルダー。
【考案の詳細な説明】
【技術分野】
【０００１】
この考案は、郵送用カードホルダーに関する。
【背景技術】
【０００２】
従来、名刺は、通常、１００枚単位で印刷され、１００枚入りの紙製、あるいはプラスチック製の箱に入れ、依頼者に配達したり、あるいは、郵便により配送されている。
【０００３】
しかし、１００枚入りの箱では、厚み寸法が高くなり、一箱だけを郵送する際にも、大型封筒に入れて郵送しななければならず、従って、郵送費が高くなるという欠点があり、さらには、週刊誌等の本に比べて持ち運びにも不便なものであった。
【考案の開示】
【考案が解決しようとする課題】
【０００４】
そこで、この考案は、名刺等のカード類が安価に郵送できると共に、使い勝手のよい郵送用カードホルダーを開発、提供することにある。
【課題を解決するための手段】
【０００５】
この考案による課題を解決するための手段としては、カードホルダーの厚みを、１センチメートル以内に形成し、その分、カード収納部も複数箇所に分けて形成することにより、郵送費を安価にすることを目的とする郵送用カードホルダーを開発・提供するものである。
【考案の効果】
【０００６】
この考案によると、ケース本体（１）の外形の厚み寸法（α）を１センチメートル以内に形成するため、該ケース本体（１）内に、カード（Ｘ）を複数枚重ねて入れるカード収納部（１ａ）を、複数箇所に分けて設け、これらカード収納部（１ａ）内にカード（Ｘ）を分散して収納することにより、郵送費を安価に抑えることができ、しかも、カードホルダーは一枚のシート材から形成できるため、カードホルダーも安価に製造出来る等極めて有益なる効果を奏するものである。
【考案を実施するための最良の形態】
【０００７】
以下、この考案の好適な実施の形態について、ケース本体（１）の外形の厚み寸法を１センチメートル以内に形成し、該ケース本体（１）内に、カード（Ｘ）を複数枚重ねて入れるカード収納部（１ａ）を、複数箇所に分散して設けたことを特徴とする郵送用カードホルダーである。
【実施例】
【０００８】
この考案の一実施例を図１及び図２に基づいて詳細に説明すると、外形の厚み寸法（α）が１センチメートル以内のケース本体（１）を設け、該ケース本体（１）内に、カード（Ｘ）を複数枚重ねて入れるカード収納部（１ａ）を、３箇所に分けて設けてなる郵送用カードホルダーから構成されるものである。尚、（２）は、外蓋部であり、（３）は、内蓋部である。
【０００９】
また、ケース本体（１）は、一枚のシート材（Ｙ）で形成したものであり、本体部（Ａ）の上下方向に、厚み代（Ｂ）を介して、それぞれ外蓋部（２）と内蓋部（３）とを連続して設け、また、本体部（Ａ）の左右方向に、厚み代（Ｂ）を介して、それぞれ収納枠材（４）（４）を一体に設けたものである。
【００１０】
さらに、（５）は、外蓋部（２）に設けた開封用の帯であり、該帯（５）を摘んで引っ張ることにより、開封されるよう構成している。
【００１１】
また、３箇所に設けるカード収納部（１ａ）のうち、２箇所は、シート材（Ｙ）で形成された，本体部（Ａ）とそれぞれの厚み代（Ｂ）と収納枠材（４）（４）で囲まれた箇所であり、他の１箇所は、両隣の収納枠材（４）（４）の間で、本体部（Ａ）と内蓋部（３）に囲まれた箇所を利用して形成したものである。
【００１２】
さらに、カード収納部（１ａ）は、上記実施例では３箇所に設けたものを開示したが、この個数に限定されることはなく、また、カード（Ｘ）とは、名刺をはじめとし、トランプ、花札等、カードであればよく、特に、名刺に限定されることはない。
【００１３】
この考案を用いて、カード（Ｘ）を収納する場合には、先ず、ケース本体（１）を開き、ケース本体内部のカード収納部（１ａ）に、それぞれ、カード（Ｘ）を複数枚（厚み代の範囲内の厚みに限定される。）を束ねて３箇所に入れる。そして、内蓋部（３）で抑えて、その上から外蓋部（２）を重ね、該外蓋部（２）の先端から前記開封用の帯（５）までの間に接着剤等で外蓋部（２）と内蓋部（３）とを固定し、ケース本体（１）内に収納するものである。
【００１４】
そして、ケース本体（１）より、カード（Ｘ）を取り出す場合には、先ず、ケース本体（１）の外蓋部（２）に設けられた開封用の帯（５）を一端部から引き剥がし、外蓋部（２）を開くと、カード（Ｘ）が複数枚、３箇所のカード収納部（１ａ）に挿入されており、これからカード（Ｘ）を引き抜いて使用するものである。
【００１５】
さらに、ケース本体（１）の外周部には、コマーシャルメッセージのスペースに利用することもできる。
【産業上の利用可能性】
【００１６】
この考案の郵送用カードホルダーの技術を確立し、実施・販売することにより、産業上利用できるものである。
【図面の簡単な説明】
【００１７】
【図１】この考案の一実施例を示す斜視図である。
【図２】この考案の一実施例を示す一部欠截正面図である。
【図３】この考案の一実施例を示す側面図である。
【符号の説明】
【００１８】
１  ケース本体（１）
１ａ  カード収納部
２  外蓋部
３  内蓋部
４  収納枠材
５  開封用の帯
α  外形の厚み寸法
Ａ  本体部
Ｂ  厚み代
Ｘ  カード
Ｙ  シート材
【図１】
0003138707.tif 000003
【図２】
0003138707.tif 000004
【図３】
0003138707.tif 000005
(57)【要約】【課題】  誰もが、身近な器に簡単に挿入するだけで、気軽に花を生けることができる生花用具を提供する。【解決手段】  一体になった生花用具は、上部に固定翼と円板、下部に円板が配置され、それを連結棒で連結し器の挿入口に固定する。上部の固定翼は、Ｃ字形となっており、それを内側に縮め、器の挿入口に挿入し、元に戻る力を利用して挿入口に固定されるため、縮む範囲の器に挿入することができ、器の高低により連結棒を取替えることで、複数の器に使用が可能となる。上下の円板には複数の孔が形成されており、その孔に花を挿入することにより花が支えられ安定した生け花が図れる。【選択図】図１
0003138709.tif 000002
【実用新案登録請求の範囲】
【請求項１】
花や枝を挿入する複数の孔が形成された円板二枚を上下に配置し、その二枚の円板は連結棒で連結固定され、上部の円板には器に固定する固定翼が一体となっている生花用具。
【請求項２】
前記固定翼は、固定翼を内側に縮め器に挿入し、固定翼が元に戻る力で、固定されるＣ字形の形状であることを特徴とする請求項１記載の生花用具。
【考案の詳細な説明】
【技術分野】
【０００１】
本考案は、複数の孔が形成された上下二枚の円板で花や枝を支える生花用具に関するものである。
【背景技術】
【０００２】
花を生ける場合、花や枝を固定する道具として、一般的に幅広く用いられているものとして、剣山やフラワースポンジ等が挙げられる。
【考案の開示】
【考案が解決しようとする課題】
【０００３】
しかしながら、永年、花や枝を固定する道具として金属の台に多数の太い針を植え並べた剣山が使用されているが、花や枝を生ける技術を伴い太い針よりも細い花や枝を生けるには、より一層の技術を必要とし気軽に花を生けることは困難である。
【０００４】
最近、幅広く使用されているフラワ−スポンジは、花や枝の太さに関らず使われているが、器に合わせて形成する必要があり、形成されたものは、器の形状が異なれば使用することが困難である。また、花を生ける場合、茎が硬い花はそのまま挿入できるが、柔らかい花は、孔を形成する必要があり、花を生けるまでに手間が掛かり、容易に花が生けられない。
【０００５】
コップやマグカップなどの広口の器に、少数の花を生ける場合、支えが広いため全ての花が斜めになり、安定した花を生けることが図れない。そこで、本考案は、以上の課題を解決すべく、誰もが、身近な器に気軽に花を生けることができるような生花用具を提供することを目的とした。
【課題を解決するための手段】
【０００６】
本考案は、複数の孔が形成された円板を上と下に配置し、その孔に花や枝を挿入し生ける生花用具であり、その上下二枚の円板は円板の中央部を連結棒で連結され、上部の円板には固定翼が一体となっており、この固定翼で生花用具を器に固定することを特徴とする。
【考案の効果】
【０００７】
以上のように、本考案に係る生花用具によれば、コップなど広口の器に容易に使用ができ、花や枝を差し込むだけで安定した花を生けることが図れ、子供から老人まで生花の心得がない方でも、身近な器に身近な花を気軽に生けることができる。また、固定翼の縮む範囲や連結棒の取替えにより複数の器に使用できるよう対応を可能にしている。
【考案を実施するための最良の形態】
【０００８】
以下に、本考案に係る生花用具の実施例を図１に基づいて説明する。
【実施例】
【０００９】
本考案に係る生花用具を示す図１において、１は本考案に係る生花用具であり、２は固定翼、３・４は円板、５は連結棒、６は花を挿入する孔である、孔６の形状は円、三角、四角、又は網目等を使用し、花の形状により取替えを可能とする。
【００１０】
この生花用具は、３と４の二枚の円板で花や枝を支えるもので、この二枚の円板を連結棒で連結固定させ、２に配置した固定翼で器に固定する。
【００１１】
この生花用具の素材は、プラスチックを使用し、腐食やデザインに考慮し作成する。
【００１２】
２の固定翼が一体になった３と４を５の連結棒で連結固定され、一体になった生花用具は、軽量で扱いやすく、固定翼は小さな力で縮めることができるため、コップに挿入することが容易にできる。
【００１３】
コップに挿入された生花用具は、Ｃ字形の形状をした弾性を有する固定翼で固定され、上下二枚の円板にあいた複数の孔に花を挿入する。挿入された花は上下二枚の円板で支えられ直立に花を生けることができた。
【００１４】
なお、以上の実施例においては、コップに固定して例示したものだが、本考案はこれに限定されるものではなく、他の器に使用しても同様の利点が得られることは勿論である。
【図面の簡単な説明】
【００１５】
【図１】本発明に係る生花用具の斜視図
【図２】本発明に係る生花用具の平面図
【図３】本発明に係る生花用具の側面図
【図４】本発明に係る生花用具のａ´〜ｂ´の断面図
【符号の説明】
【００１６】
１  生花用具
２  固定翼
３  円板
４  円板
５  連結棒
６  孔
【図１】
0003138709.tif 000003
【図２】
0003138709.tif 000004
【図３】
0003138709.tif 000005
【図４】
0003138709.tif 000006
(57)【要約】      （修正有）【課題】健康な時に使用していたブラジャーと自分の身体ではさむので、手術の後の敏感な部分をやさしく保護し、首の下や胸の間からのパットが見えても不自然でなく見せる為のパットを作りパットの着せ替えを楽しむ。【解決手段】従来のブラジャーは手術した後、専用のブラジャーを購入しないといけないが、今まで使っていたブラジャーを使用することができ、パットがある事によりファッションを楽しむ事が出来る。【選択図】図１
0003138710.tif 000002
【実用新案登録請求の範囲】
【請求項１】
柔軟性生地よりなる枕状外皮と前記枕状外皮の下端に当布を接続してなることを特徴とする全摘乳房パット。
【請求項２】
前記当布は、肌色であり厚さ３mm〜５ｍｍあることを特徴とする請求項１記載の全摘乳房パット。
【請求項３】
一方の健全な乳房に柔軟性生地よりなる薄い布パットを装着し、他方の乳房に請求項１又は２に記載の全摘乳房パットを装着し、前記薄い布パットと前記全摘乳房パットとを被覆するカバーを備えたことを特徴とする乳房パット。
【考案の詳細な説明】
【技術分野】
【０００１】
本考案は、義乳房をつけるのが健全な時に使っていたブラジャーを使え乳房パットが見えたとしても服に見えるパットである。
【背景技術】
【０００２】
義乳房パットは専用のブラジャーをあらたに購入しなければならなかった。見えては行けない義乳房パットばかりである。
【特許文献１】実開平７−３３９１８号公報
【考案の開示】
【考案が解決しようとする課題】
【０００３】
あらたに購入しなければ義乳房パットが使えなくパットがずれ見える欠点を解決しようとする物である。
【課題を解決するための手段】
【０００４】
このため本考案は、柔軟性生地よりなる枕状外皮と前記枕状外皮の下端に当布を接続してなることを特徴とする。また、前記当布は、肌色であり厚さ３mm〜５ｍｍあると好ましい。さらに、一方の健全な乳房に柔軟性生地よりなる薄い布パットを装着し、他方の乳房に前記全摘乳房パットを装着し、前記薄い布パットと前記全摘乳房パットとを被覆するカバーを備えることで乳房パットを形成することができる。
【考案の効果】
【０００５】
上述の様に本考案は専用のブラジャーを購入する必要もなく肌の過敏な部分にも柔らかく当たって皮膚を刺激するような欠点を防止できる。義乳房が一時的にずれたとしても服の一部として見る事ができ女性として一番大切なお洒落も楽しむことができ服の上から手術による不自然差は全く感じられないものとなる。
【考案を実施するための最良の形態】
【０００６】
義乳房パットと健全な方のパット両方にカバーをかけ一時的にずれて体と服の間からパットが見えても服の一部と見えお洒落が可能である。また義乳房のパットの下部の当布がズレ・防止・過敏な肌の刺激をやわらいでくれる。
【実施例】
【０００７】
以下、添付図面に従って実施例を説明する。
本考案の実施例は、義乳房パットの下部に厚さ３mm〜５mm長さ５ｃｍ〜７ｃｍの当布を接続しブラジャーのワイヤーで傷・助骨に負担がかからず、また健全な乳房のも薄いパットを付け両方のパットに同じ布のカバーをつけ服の一部にしたものである。
添付図面に基づいて説明すると、
図１のＡは、パット（全摘乳房パット）を示し、柔軟性のある湾曲形状をしている。Bは肌色の布（当布）であり、この部位においてブラジャーでとめる。したがって肌の刺激をやわらぐことができる。なお形状は魚の背びれのような形状をしている。
図２のCは布を示し、Dは布製の芯を示し、Ｅはポリエステルの綿から構成されたパット（全摘乳房パットＡ）であって、洗う事ができる。
図３のＦは今までのブラジャーでしっかり止める事ができる。なお、上から服と体の間から見えたとしても、パットが見えても服の様に見える。Gはパット（全摘乳房パットＡ）、Ｈは布（当布Ｂ）を示し、ズレを防止する。なおズレた場合、服の上からでもひっぱることができる。
図４のＩは服に見える布であって、一方の健全な乳房に装着するための柔軟性生地よりなる薄い布パットを示す。Ｊは、ここからパットを入れるカバーである。なお前記カバーとは、前記薄い布パットと前記全摘乳房パットとを被覆するためのものであり、一見服のように見えるものである。
【図面の簡単な説明】
【０００８】
【図１】前から見た全摘乳房パットの正面図である。
【図２】横から見た全摘乳房パットの側面図である。
【図３】全摘乳房パットを装着した状態の使用説明図である。
【図４】前から見た薄い布パットの正面図である。
【符号の説明】
【０００９】
Ａ  パット本体（全摘乳房パット）
B  あて布（当布）
C  布
D  芯
Ｅ  洗う事ができる物（全摘乳房パット）
Ｆ  ブラジャー
G  パット（全摘乳房パット）
Ｈ  ブラジャーを付けているあて布（当布）
Ｉ・Ｊ  パットカバー
【図１】
0003138710.tif 000003
【図２】
0003138710.tif 000004
【図３】
0003138710.tif 000005
【図４】
0003138710.tif 000006
(57)【要約】【課題】蓄電池用の接続端子装置として、蓄電池の端子形状が異なっても接続端子装置の端子ケースは変えないで使用できる接続端子装置を提供する。【解決手段】  蓄電池の充放電に際して使用される接続端子装置において、異なる形状の端子との接続を容易とするために、端子ケースとこれに取り付けられる接続端子は独立に構成され、端子ケースには接続端子が着脱自在に取り付け可能とし、更に、端子ケースに接続端子の固定用に１個以上の貫通口を設けることにより、接続端子の形状や位置が異なっても同一の端子ケースを使用できるようにした。【選択図】  図２
0003138782.tif 000002
【実用新案登録請求の範囲】
【請求項１】
断面Ｌ字状の端子ケース本体は、中央に突起部を有し、左右両側の平坦部に少なくとも１個以上の貫通口を設けた凸形状に構成され、該中央突起部の前面中央と左右端面にはリード線用の挿通孔が設けられ、該平坦部の貫通口にはこれを貫通して、着脱自在に接続端子が設けられていることを特徴とする蓄電池用接続端子装置。
【考案の詳細な説明】
【技術分野】
【０００１】
本考案は、蓄電池の充放電などに使用される接続用の端子装置に関するものである。
【背景技術】
【０００２】
自動車、オートバイ、携帯電話、産業用電源などに使用される蓄電池の種類は多く、その型式、形状、容量、接続方式などにより蓄電池端子の形状も多岐にわたっている。蓄電池の充放電、据付、交換、点検、試験などに際しては、外部との電気接続のために蓄電池端子にリード部のついた接続端子を取り付ける必要がある。接続端子の種類、形状は多数あるが、同一の蓄電池であれば共通形状の接続端子が繰り返し使用できて便利である。しかし、蓄電池が異なると多くの場合に端子形状も異なるため、そのつど接続端子を交換する必要がある。このため異なる形状の接続端子を多数保有する必要があり、また煩雑な交換作業が発生することとなる。
【０００３】
蓄電池用の従来の接続端子装置として、保持部の端子ケース内に＋端子と−端子とを保持した形状のものが提案されている。（特許文献１）
【特許文献１】特開昭６０−６８５５０号公報
【考案の開示】
【考案が解決しようとする課題】
【０００４】
上記のような先行する特許文献に示される接続端子は、二分割された保持部の端子ケース内に、蓄電池の極柱端子の形状と合う円筒型端子とそれに接続されるリード線を挟み込む構成であるため、蓄電池側の端子形状が異なるたびに専用の保持部が必要となり、部材コストが増加し、交換の手間がかかるという欠点があり、その改善が望まれていた。
【課題を解決するための手段】
【０００５】
この問題を解消するため、本考案では、接続端子を保持部である端子ケースから独立させ、接続端子と蓄電池極柱とは端子ケースに設けた１個以上の貫通口を貫通してナットもしくはボルト‐ナット方式などにより着脱自在に取り付け、さらに端子ケース内を通過する充放電用のリード線に取り付ける。これにより、蓄電池側の端子形状が異なる場合にも共通の端子ケースを使用できる装置を提案するものである。
【考案の効果】
【０００６】
本考案によれば、蓄電池の形式、容量などにより端子形状が異なる場合においても、夫々に合った個別の接続端子ケースを製作する必要がなく、また端子ケースを交換することなく充放電や試験などの作業を効率よく行うことが可能となる。
【考案を実施するための最良の形態】
【０００７】
以下、図に基づき、本考案の実施形態について説明する。図1は接続端子装置の一実施形態の分解斜視図、図２はその組立図である。１は端子ケースで、断面形状はＬ字状の合成樹脂の成形品である。この端子ケース１は、図示のごとく、中央部に突起部１１を有し、該突起部１１の前面とその左右端壁にはそれぞれ＋、−極のリード線５を通すための挿通孔４が設けられ、リード線５が挿通される。
【０００８】
端子ケース１の突起部１１以外の左右の平坦部１２には貫通口６がそれぞれ1個開口されている。この貫通口６の形状は、円形が一般的であるが、スリット状の細長い長円形に開口されても良い。この様に、端子ケースは全体として凸形状に構成されている。
【０００９】
したがって、蓄電池側の端子が断面Ｕ字型であれば、接続端子２を円柱形とし、該接続端子２の上部を貫通口６に通し、その貫通した上部にリード線５の先端に設けたリング状端子５１を挿通し、予め接続端子２の上部周面に刻印され形成されたネジ溝にナット３を螺合して締め付け固定する。なお、図中２１は接続端子２に設けた膨径のフランジである。
【００１０】
貫通口６を長円形に形成した場合は蓄電池の両極端子間の距離が多少異なる場合でも接続端子を長円形の長さ方向にずらして取り付けることができ便利である。
【００１１】
同様の目的で貫通口６は適宜な口径と相互距離をとって複数個を直線的に並べて設けても良い。
【００１２】
なお、蓄電池の端子が凸型の円筒形の場合には、端子ケースを変えることなく、逆Ｕ字型または中空円筒型の接続端子を取り付ければ良い。また、ばね製材料のキャップ型の接続端子と嵌合させるなどの方法がとられるが、そのような接続端子はナットを外して交換することが容易に可能である。
【００１３】
以上のように、本考案によれば、蓄電池端子の形状が異なっても、同一の端子ケースを用いて簡単に蓄電池と接続することが可能となり、充放電や試験などの作業効率を向上できる。
【図面の簡単な説明】
【００１４】
【図１】本考案の一実施形態の分解斜視図である。
【図２】組立斜視図である。
【符号の説明】
【００１５】
１      端子ケース
１１    突起部
１２    平坦部
２      接続端子
４      挿通口
６      貫通口
【図１】
0003138782.tif 000003
【図２】
0003138782.tif 000004
(57)【要約】      （修正有）【課題】ホックにおいて、そのバネを布地に対して強固に取り付けることができるリングアタマを提供する。【解決手段】リングアタマ１において、バネ取り付け用の爪３ｃ，３ｆを等間隔にて６本形成する。そして、布地６の片面にバネ４を当て、この布地６の反対面側からリング４の係合部５内に爪を挿し込んでバネ４とリングアタマ１をカシメる。これにより、６本の爪の作用により、バネ４の取り付け強度が従来より２０％増し、バネ４が使用中に外れたりせず、よって安全性が高まる。【選択図】図３
0003138785.tif 000002
【実用新案登録請求の範囲】
【請求項１】
バネ取付用の爪を等間隔にて６本形成して成るホックにおけるバネ取付用のリングアタマ。
【請求項２】
前記爪は、金属製の平板をプレスにて打ち抜いたあと、前記平板から９０°起立させて形成したことを特徴とする請求項１に記載のホックにおけるバネ取付用のリングアタマ。
【考案の詳細な説明】
【技術分野】
【０００１】
本考案は、ホックにおけるバネを布地に取り付ける際に用いるリングアタマに関し、更に詳しくは、前記リングアタマに形成されているバネ取り付け用の爪を従来の５本から６本に増加することにより、バネの取付強度を約２０％増加して安全性を高めたホックにおけるバネ取付用のリングアタマに関するものである。
【背景技術】
【０００２】
ホックにおけるバネ取付用のリングアタマ（以下「リングアタマ」という。）は、バネを布地（生地）に取り付けるものであって、布地の片面にバネを置き、この布地の裏側から布地を挟み込むようにしてその爪をバネの裏側に形成した爪の係合部内に挿入し、リングアタマとバネを強圧することにより、係合部内で爪の先を外側にカールさせてカシメ留めするものであるが、従来のリングアタマ１は、図４に示すように、１枚のベース面２の中央部に等間隔で５枚の爪３ａ〜３ｅを打ち抜き、図５に示すように、この５枚の爪３ａ〜３ｅを９０°起立させた形状であることから、次のような問題が発生している。
【０００３】
１．爪が５本のため、繰り返し使用していると強度不足からリングアタマの爪３ａ〜３    ｅからバネが外れることがある。このため、例えばベビー服の場合、この取れたバネ    を幼児が口に入れてしまう危険がある。
２．バネが取れないように、リングアタマの爪の厚さ（素材の板厚）を厚くして取り付    け強度を高めると、材料費が高くつき、またプレス加工及び爪の起立に際して負荷が    増大することから、製作コストが高くなる。
３．素材の板厚を厚くすると、この分、重量が増すため、超軽量化が求められる製品の    場合にはマイナス要因となる。
４．リングアタマの重量が増すと、この分、薄物あるいは弱い生地の場合に傷みが早ま    る。
【考案の開示】
【考案が解決しようとする課題】
【０００４】
本考案の目的は、素材の板厚を従来通りとしながら、バネの取り付け強度を増大することができるホックにおけるバネ取付用のリングアタマを提供することである。
【課題を解決するための手段】
【０００５】
上記目的を達成するため、本考案では、リングアタマの爪を等間隔で５本から６本に増加して形成した。
このように５本から６本に形成することにより、約２０％の強度アップを図ることができるため、素材の板厚は従来通りで良い。
【考案の効果】
【０００６】
本考案は、上記のとおり、リングアタマの爪を６本としたことにより、次の効果を奏する。
１．爪が６本のため、バネの取付強度が増し、繰り返し使用してもリングアタマからバ    ネが外れることがない。よって、例えばベビー服の場合、この取れたバネを幼児が口    に入れてしまう危険を回避できる。
２．バネの取付強度を高めるために、リングアタマの爪の厚さ（素材の板厚）を厚くす    る必要がないため、材料費及び製作コストは従来と変わらない。
３．強度を増しても重量が増すことはない。
４．強度を増しても、薄物あるいは弱い布地の場合に傷める心配がない。
【考案を実施するための最良の形態】
【０００７】
本考案に係るリングアタマは、円形平板から成る金属板の中央に等間隔で６枚の爪を中心方向に向けて打ち抜き、この打ち抜いた後で爪を９０°起立させて形成される。このリングアタマは、用途によってはその強度（金属板の材質、板厚、大きさ）が設定される。
また、リングアタマは、必要に応じて表面がメッキあるいはコーティング加工される場合もある。
【実施例】
【０００８】
図１〜図３を用いて本考案に係るリングアタマの実施例を詳述する。図１はプレスにより爪を打ち抜いた状態の金属板の平面図、図２は爪を９０°起立させた状態の側面図、図３は本考案に係るリングアタマを用いて布地にバネを取り付けた状態の説明図である。
上記各図において、符号の１は爪３ａ〜３ｆを起立させる前のリングアタマを示し、このリングアタマ１は、ベース面２と、先端をベース面２の中心方向に向けて打ち抜き加工し、６本の爪３ａ〜３ｆとから成る。このリングアタマ１は、図２に示すように爪３ａ〜３ｆを９０°起立させて製品とする。
【０００９】
上記構成のリングアタマ１は、図３に示すように、布地６の片面にバネ４を当て、この反対面からバネ４の係合部５内に向けて爪３ａ〜３ｆを挿し込み、カシメ機を用いて布地６を挟みながらバネ４とリングアタマ１を圧接する。このようにすると、爪３ａ〜３ｆは、バネ４の係合部５内においてその先端側が外側にカールしてバネ４側と結合する。
図３において、７はバネ４の中央に形成したリング部４ａ内に係合するゲンコ、４ｂはリング部４ａの要所に形成した割りであって、この割り４ｂを形成したことによる弾性作用により、ゲンコ７とバネ４は嵌合し易く、外れにくいという機能が付与される。
【図面の簡単な説明】
【００１０】
【図１】本考案に係るリングアタマであって、爪を起立させる前の平面図
【図２】本考案に係るリングアタマであって、爪を９０°起立させた状態のＡ−Ａ´断面図
【図３】本考案に係るリングアタマを用いてバネを布地に取り付けた状態の説明図
【図４】従来の５本爪リングアタマの平面図
【図５】従来の５本爪リングアタマにおいて、爪を起立させた状態のＢ−Ｂ´断面図
【符号の説明】
【００１１】
１  リングアタマ
２  ベース面
３ａ〜３ｆ  爪
４  バネ
５  係合部
６  布地
７  ゲンコ
【図１】
0003138785.tif 000003
【図２】
0003138785.tif 000004
【図３】
0003138785.tif 000005
【図４】
0003138785.tif 000006
【図５】
0003138785.tif 000007
(57)【要約】【課題】同一室内で多数の人が仮眠をするようなサウナ施設等において、仮眠用ベッドの使用者が隣接する仮眠用ベッドの人の気配や視線を気にすることなくリラックスができるような仮眠用ベッドを提供する。【解決手段】長方形のマットレス２を有するベッド１において、該マットレス２の頭部側の前端部及び左右の側端部を囲んでコの字状に囲壁３を立設し、更に該囲壁３の上部の開口部にロールカーテン３ｄを付設して、該ロールカーテン３ｄで前記囲壁３の上部の開口部を開閉自在に遮蔽する構造に形成した。【選択図】図１
0003138786.tif 000002
【実用新案登録請求の範囲】
【請求項１】
長方形のマットレスを有するベッドにおいて、マットレスの頭部側の前端部及び左右の側端部を囲んでコの字状に囲壁を立設し、更に該囲壁の上部の開口部にロールカーテンを付設して、該ロールカーテンで前記囲壁の上部の開口部を開閉自在に遮蔽する構造に形成した仮眠用ベッド。
【請求項２】
前記囲壁の内部にエアコンの吹き出し口を開口して、囲壁内部の温度を調節可能に形成した請求項１に記載の仮眠用ベッド。
【請求項３】
前記囲壁の内部に、音楽及び又はテレビを聴視できる端末器を設置した請求項１に記載の仮眠用ベッド。
【請求項４】
前記マットレスの枕載置部分にマジックテープ（登録商標）を縫着して、枕を前記マジックテープ（登録商標）に貼着可能に形成した請求項１に記載の仮眠用ベッド。
【考案の詳細な説明】
【技術分野】
【０００１】
本考案は、健康ランドやサウナ施設等で使用するのに最適な仮眠用ベッドに関する。
【背景技術】
【０００２】
健康ランドやサウナ等のリラクゼイション施設では、ベッドの上に寝て仮眠をしたり癒やし効果を得たりするための仮眠用ベッドが用意されている。この様な施設の例として、サウナ施設のサウナ室の室内に複数のベッドを設けたものがある（例えば、特許文献１参照。）。
【０００３】
【特許文献１】特開２００４−２７５２９９号公報
【考案の開示】
【考案が解決しようとする課題】
【０００４】
前記特許文献１に記載の事例の如く、同一サウナ室内に多数の人が仮眠をする場合には、隣接する人の顔が間近に見えるので、プライバシー上の抵抗感を感じる人がいるという問題があった。
【０００５】
又、サウナ室内の温度が均一に保たれている場合には、個人によって好みの温度調節ができないという問題があった。
【０００６】
本考案はこのような問題点を解消し、仮眠時のプライバシーが保てると共に各個人毎にマッチした癒やし効果の得られるような仮眠用ベッドを提供することを目的とする。
【課題を解決するための手段】
【０００７】
本考案は前記の問題点を解消すべく、長方形のマットレスを有するベッドにおいて、マットレスの頭部側の前端部及び左右の側端部を囲んでコの字状に囲壁を立設し、更に該囲壁の上部の開口部にロールカーテンを付設して、該ロールカーテンで前記囲壁の上部の開口部を開閉自在に遮蔽する構造に形成した。
【考案の効果】
【０００８】
本考案によれば、健康ランドやサウナ等の施設において、プライバシー上の抵抗感を感ずることなく仮眠をすることができると共に、個人毎の好みにマッチした環境条件での癒やしが得られる仮眠用ベッドを提供できる効果を有する。
【考案を実施するための最良の形態】
【０００９】
本考案を実施するための最良の形態の実施例を以下に示す。
【実施例１】
【００１０】
本考案の仮眠用ベッドについて、図面により説明する。
【００１１】
図１は本考案の仮眠用ベッドの斜視図である。
【００１２】
仮眠用ベッド１は、マットレス２と、該マットレス２の頭部側の周りを囲むように立設されている囲壁３等からなる。
【００１３】
尚、２ａは枕で、該枕２ａはマットレス２の枕載置部分にマジックテープ（登録商標）で貼着されている。
【００１４】
前記囲壁３は不透明な板状体からなり、前記マットレス２の前端部に当接する頭部壁板３ａと、前記マットレス２の前部の左右の側端部にそれぞれ当接する側部壁板３ｂ、３ｂとでコ字状に形成されている。
【００１５】
前記側部壁板３ｂは角部のない扇状に形成されており、又、前記頭部壁板３ａは四角形に形成されている。
【００１６】
前記頭部壁板３ａの上部にはロールカーテン３ｄが取り付けられていて、該ロールカーテン３ｄを引き出すことにより、前記囲壁３の上部の開口部を開閉自在に遮蔽することができる。
【００１７】
尚、該ロールカーテン３ｄの先端部に沿って棒状体（図示せず）が縫着されており、該棒状体の両端の突出部を前記左右の側部壁板３ｂ、３ｂにそれぞれ設けた係止受部（図示せず）に係止させて、引き出したロールカーテンをその係止受部の位置で係止することができる。
【００１８】
前記係止受部は、前記左右の側部壁板３ｂ、３ｂの上辺部に沿って、それぞれ複数個設けてあるので、前記ロールカーテン３ｄの引き出す長さを変えて係止することができる。
【００１９】
尚、このロールカーテンを引き出す長さは、少なくとも該ロールカーテン３ｄが該仮眠ベッド１上の仮眠者の頭部及び顔部を覆う程度とし、又、前記囲壁３の前記マットレス２上に突出する高さはマットレス上５０センチメートル程度とするのが望ましい。
【００２０】
次に本考案の仮眠用ベッド１の使用方法及びその効果について説明する。
【００２１】
本考案の仮眠用ベッド１は、健康ランドやサウナ施設等で、同一室内に多数の人が仮眠をする場合に使用する。
【００２２】
仮眠用ベッド１が多数並んで配置されていても、仮眠者は頭部の周りを囲壁３で囲まれていて周囲が見えず、又、隣りの人から顔を見られる恐れがないので、安心して仮眠をとることができる効果を有している。
【００２３】
尚、前記囲壁３の内部にエア・コンディショナ（エアコン）の吹き出し口を開口して、仮眠者が該エアコンから吹き出す空気の温度や風量を調整できるようにしてもよく、又、前記囲壁３の内部に音楽及び又はテレビを聴視できるような端末器を設置して、仮眠用のヘッドの使用者が一人で音楽又はテレビを楽しみながら癒やし効果が得られるようにしてもよい。
【産業上の利用可能性】
【００２４】
本考案の仮眠用ベッドは、健康ランドやサウナ施設等のリラクゼイション施設で利用される。
【図面の簡単な説明】
【００２５】
【図１】実施例１の仮眠用ベッドの斜視図である。
【符号の説明】
【００２６】
１      仮眠用ベッド
２      マットレス
２ａ    枕
３      囲壁
３ｄ    ロールカーテン
【図１】
0003138786.tif 000003
(57)【要約】      （修正有）【課題】位置決め、走行速度、加える圧力、直線精度が安定し、製品一品毎の外見的状態が一定化し、同時に自動化による全体の生産効率も改善する。【解決手段】円盤状で外周部を斜めにカットし鋭利化した自由回転するローラーを先端に取付けた２軸駆動のアームと、これを吊下状に保持し１軸駆動の保持装置で構成され、かつ縁無畳折曲製造機に直接取り付けて、前述機能により３次元でローラー位置決めセットより、ローラーの移動により畳表に凹状痕跡の折込線を高精度で安定して作成できることを実現する。【選択図】図２
0003138799.tif 000002
【実用新案登録請求の範囲】
【請求項１】
畳表と畳床を一体化させる畳の最終製造工程で、畳縁なしの畳の商品力を左右するのは、畳上面の各縁の畳表折込仕上状態（畳床縁形状に合致しかつ直線的折込、畳表と畳床の密着具合）の良さ、及びそれを実現するための作業時間の短縮による製造原価削減である。
現状は畳表の谷折込見込位置に手作業でヘラ状器具による圧力をかけ直線で凹状痕跡線による折込線をつけ、折曲機で加工している。しかし、折込線の位置決めや圧力が一定せず常時安定した良好な折込仕上げ状態の維持は困難である。
当請求は、自動化による折込線位置の決定、折込線付けをローラー形状の機械で自動化するものであり、位置精度、圧力の一定化により折曲仕上状態の向上かつ安定化その後の自動折曲までを含め時間短縮によるを製造原価削減可能とする、畳表折込線処理を自動化した縁無畳折曲製造機である。
【考案の詳細な説明】
【技術分野】
【０００１】  本考案は、縁無畳製造時、手作業による折込線（畳表の谷折込見込位置に手作業でヘラ状器具による圧力をかけ直線で凹状痕跡線）付けを自動化することで、位置精度、圧力の一定化により折込線精度状態の向上かつその後の自動折曲までを含め時間短縮によるを製造原価削減可能とした、畳表折込線処理を自動化した縁無畳折曲製造機に関するものである。
【背景技術】
【０００２】  縁無畳は畳縁を利用しないため畳外周縁部も畳表が直接露出するが、その折曲部分において外見的に直線的でメリハリ有る周縁部外観とするため、畳表折曲部時に折込線を手作業で付け、縁の仕上状態の向上を行なっている。【０００３】  折込線は、人的作業で、物差状器具に、ローラー形状を含むヘラ状の器具を添え、畳表に人の手圧力による直線で凹状痕跡線を付けるものだが、縁無畳は大量生産品ではなく、自動化は採算面が取れないため実用化はされていない。
【考案の開示】
【考案が解決しようとする課題】
【０００４】  人的作業ゆえ、折込線作成は畳床との間隔、直線精度、加える圧力において個々に異なり、結果一定した凹状痕跡線作成はなされず、縁無畳一品毎の外見的状態が異なってしまい、複数毎の畳を敷詰時はことさらに均一的外観が整然としないことについて、機械による自動化で解決しようとするものである。【０００５】  従来縁無畳折曲製造機による製造手順上、人手作業である折込線作成が中途に存在し、全体としての製造能力の向上は人手による折込線作成作業に依存しており、またこれに必要な時間と仕上状態は相反する欠点を解決しようとするものである。
【課題を解決するための手段】
【考案の効果】
【０００６】  自由回転する円盤状ローラーにより、畳表に凹状痕跡の谷折用折込線を自動的に付ける機能を縁無畳折曲製造機に付加するもので、位置決め、走行速度、加える圧力、直線精度が安定し、製品一品毎の外見的状態が一定化し、同時に自動化による全体の生産効率も改善するものである。
【考案を実施するための最良の形態】
【０００７】  円盤状で外周部を斜めにカットし鋭利化した自由回転するローラーを先端に取付けた２軸（畳表２次元中、折込線開始予定位置に対しと谷折用折込線と直角をなす１元方向のローラー移動：折込線位置制御水平シリンダー制御と２次元の畳表の面に対し垂直する上下移動：折込線位置制御垂直シリンダー制御）駆動のアームとこれを吊下状に保持し１軸（畳表２次元中、前述の他１元方向である折込線開始予定位置セットより予定畳縁用凹状痕跡の谷折用折込線作成のための直線平行移動方向：ガイドレール）駆動の保持装置で構成され、かつ縁無畳折曲製造機に直接取付て、前述機能により３次元でローラー位置決めセットより、ローラーの移動により畳表に凹状痕跡の折込線を高精度で安定して作成できることを実現した。
【実施例】
【０００８】  図１は畳表折込線処理のためローラー付きアームと保持装置を取付けた縁無畳折曲製造機主要部である。図２はローラー付きアームと保持装置の動作説明図である。
【図面の簡単な説明】
【０００９】
【図１】畳表折込線処理のためローラー付きアームと保持装置を取付けた畳表折込線処理を自動化した縁無畳折曲製造機主要部の側面図である。
【図２】ローラー付きアームと保持装置の動作説明図である。
【符号の説明】
【００１０】  １  折込線位置制御水平シリンダー
２  折込線位置制御垂直シリンダー
３  ローラー
４  ガイドレール
５  プレート
６  折曲垂直シリンダー
７  折曲水平シリンダー
８  畳床
９  畳表
１０  折込線
【図１】
0003138799.tif 000003
【図２】
0003138799.tif 000004
【手続補正書】
【提出日】平成19年10月12日(2007.10.12)
【手続補正１】
【補正対象書類名】実用新案登録請求の範囲
【補正対象項目名】全文
【補正方法】変更
【補正の内容】
【実用新案登録請求の範囲】
【請求項１】
畳表と畳床を一体化させる畳の最終製造工程で、畳表に対し、折込線位置の決定、折込線付けをローラー形状の機械で行なう畳表折込線処理を自動化した縁無畳折曲製造機である。